(57)【特許請求の範囲】
【請求項１】
スピーカと、スピーカの前方に設けられたフィルタと、スピーカとフィルタとを収納する筐体を備えたスピーカ装置において、
スピーカと略同形状の環状をなす外枠と、外枠の中心を通りかつ径方向に延びる支持部と、支持部中央に立設された突起部を有する振動抑制部材を備え、
振動抑制部材は、スピーカとフィルタとの間に位置し、突起部がフィルタの中央近傍を押圧してフィルタを筐体裏面に押し当てるスピーカ装置。
【請求項２】
スピーカと、スピーカの前方に設けられたフィルタと、スピーカとフィルタとを収納する筐体を備えたスピーカ装置において、
筐体の裏面から突設された第１の突起部と、
スピーカと略同形状の環状をなす外枠と、外枠の中心を通りかつ径方向に延びる支持部と、支持部中央に立設された第２の突起部を有する振動抑制部材を備え、
振動抑制部材は、第１、第２の突起部がフィルタの中央部近傍を両側から挟持する形で対向配置されるようスピーカとフィルタとの間に位置するスピーカ装置。
【請求項３】
第１、第２の突起部は、フィルタを押圧またはフィルタと接着される請求項２に記載のスピーカ装置。
【請求項４】
請求項１から請求項３のうちのいずれか１項記載のスピーカ装置と、該スピーカ装置の駆動を制御する制御部を備えた携帯機器。
【発明の詳細な説明】
【０００１】
【発明の属する技術分野】
この発明は、例えば携帯電話機、ＰＨＳ、携帯情報端末（ＰＤＡ）等の携帯機器に備えられるスピーカ装置及び該スピーカ装置を具備する携帯機器に関するものである。
【０００２】
【従来の技術】
近年、携帯電話機、ＰＨＳ、携帯情報端末（ＰＤＡ）等の携帯機器の普及率は著しく上昇し、メール機能等、多機能性が追求される一方で、小型軽量化が求められている。したがって、携帯機器に内蔵されるスピーカ等とその保護構造とからなるスピーカ装置も小型軽量化とともに音質の向上が求められている。しかし、可能な限り小型軽量化を図るため、スピーカと保護構造（例えば、フィルタ）とが接触して異音が発生する場合がある。そのような接触による異音の発生を防ぐ対策として、例えば特開平１１−４４９３号公報に開示されているように、フィルタとスピーカとの間に弾性力を有するクッションを介在させたスピーカ装置が知られている。
【０００３】
図１３は、フィルタとスピーカとの間にクッションが設けられたスピーカ装置の一例を説明するための模式的断面図である。また、図１４は、図１３に示すスピーカ装置を駆動させた場合のフィルタの振動を説明するための模式的断面図である。図中、３は携帯電話機の筐体の一部を構成するリアケース、３ａはリアケース３の裏面、３ｂは位置決め部、３ｃは位置決め部３ｂの内周面、８ａはリアケース３に実装されたスピーカ、９はスピーカ８ａ上に配置された円筒状の弾性部材（クッション）、９ａはクッション９の外周面、１０はフィルタ、１０ａはフィルタ１０の略中央部、１０ｂはフィルタ１０の外周部、１１は粘着テープ、１２はリアケース３に形成され、リアケース３から音波を外部へ放す放音孔、１３はフィルタ１０とスピーカ８ａとの間に形成された空間からなる前気室、１６ａはフィルタ１０の振幅である。
【０００４】
図１３に示すように、スピーカ８ａは、円筒状の突起からなる位置決め部３ｂの内側に設けられている。この位置決め部３ｂは、リアケース３の裏面３ａ側に形成されている。また、スピーカ８ａの保護構造として、放音孔１２と対向するようにしてリアケース３の裏面３ａ上に粘着テープ１１で貼りつけられたフィルタ１０を有する。また、このフィルタ１０は、円環状に打ち抜かれたナイロンやポリエステル等からなり、粘着テープ１１を介してその外周部１０ｂがリアケース３の裏面３ａに張り付けられている。さらに、スピーカ８ａとフィルタ１０との間にクッション９が介在している。このクッション９の外周面９ａは、位置決め部３ｂの内周面３ｃに接するようにしてリアケース３の裏面３ａに配置され、スピーカ８ａと放音孔１２との間にできる前気室１３の確保、及びリアケース３内部への音もれ防止の役割を担っている。
【０００５】
一般に、フィルタ１０はスピーカ８ａに外部から異物が付着しないようにするためのものである。したがって、フィルタ１０のメッシュはスピーカ８ａの振動板（不図示）が砂鉄等の磁性体を吸着しないように十分に細かいことが必要である。メッシュを細かくするとスピーカ８ａとフィルタ１０との間に構成される前気室１３の気密性が上がる。このため、図１４に示すように、約１ｋＨｚ付近の周波数ではスピーカ８ａの振動板の動きにあわせ、前気室１３の空気も動き、これに伴いフィルタ１０が振動し、このフィルタ１０の略中央部１０ａの振幅１６ａが７０μｍ程度と大きくなる。その結果、フィルタ１０自体の振動によって異音が発生することがある。
【０００６】
【発明が解決しようとする課題】
従来のスピーカ装置は以上のように構成されているので、フィルタ１０とスピーカ８ａとの間にクッション９が介在することで接触による異音の発生を防止することが可能であっても、フィルタ１０自体の振動による異音が発生するような場合については効果が得られない等の課題があった。
【０００７】
この発明は上記のような課題を解決するためになされたもので、フィルタ自体の振動による異音の発生が抑制されたスピーカ装置及び携帯機器を得ることを目的とする。
【０００８】
【課題を解決するための手段】
この発明に係るスピーカ装置は、スピーカと、スピーカの前方に設けられたフィルタと、スピーカとフィルタとを収納する筐体と、スピーカと略同形状の環状をなす外枠と、外枠の中心を通りかつ径方向に延びる支持部と、支持部中央に立設された突起部を有する振動抑制部材を備えている。更に、振動抑制部材は、スピーカとフィルタとの間に位置し、突起部がフィルタの中央近傍を押圧してフィルタを筐体裏面に押し当てるものである。
【００１５】
この発明に係るスピーカ装置は、スピーカと、スピーカの前方に設けられたフィルタと、スピーカとフィルタとを収納する筐体と、筐体の裏面から突設された第１の突起部と、スピーカと略同形状の環状をなす外枠と、外枠の中心を通りかつ径方向に延びる支持部と、支持部中央に立設された第２の突起部を有する振動抑制部材を備えている。更に、振動抑制部材は、第１、第２の突起部がフィルタの中央部近傍を両側から挟持する形で対向配置されるようスピーカとフィルタとの間に位置するものである。
【００１６】
この発明に係るスピーカ装置は、第１、第２の突起部が、フィルタを押圧またはフィルタと接着されるものである。
【００１７】
この発明に係る携帯機器は、上記のスピーカ装置と、該スピーカ装置の駆動を制御する制御部とを備えたものである。
【００１８】
【発明の実施の形態】
以下、この発明の実施の一形態を説明する。
実施の形態１．
図１乃至図５は、実施の形態１のスピーカ装置を搭載する携帯機器の一例として携帯電話機の構成を示すもので、図１は携帯電話機の正面図、図２は背面図、図３は図１及び図２のＡ−Ａ’線に沿う断面図、図４は図３に示す破線Ｂで囲まれた部分の拡大断面図、図５は携帯電話機の分解斜視図である。図中、１は携帯電話機、２は携帯電話機１の筐体の一部を構成するフロントケース、３は携帯電話機１の筐体の一部を構成するリアケース、３ａはリアケース３の裏面、３ｂはリアケース３の裏面３ａに一体的に形成された円筒状の位置決め部、３ｃは位置決め部の内周面、４は受信及び送信先の電話番号や種々の機能及び状態を表示するための液晶ディスプレイ（ＬＣＤ）ホルダ、５は電子部品を搭載した基板、６はシールドケース、７はフレキシブルプリント回路（ＦＰＣ）、８ａはリアケース３に実装されたスピーカ、８ｂはフロントケース２に実装されたスピーカ、９はスピーカ８ａとフィルタ１０との間に配置された円筒状のクッション（弾性部材）であって、スピーカ８ａとリアケース３の裏面３ａとの間に圧縮介在されている。９ａはクッション９の外周面、１０はフィルタ、１０ａはフィルタ１０の略中央部、１０ｂはフィルタ１０の外周部、１１は粘着テープ、１２はリアケース３に形成され、かつリアケース３から音波を外部へ放す放音孔、１３はフィルタ１０とスピーカ８ａとの間に形成される空間からなる前気室、１４ａはリアケース３の裏面に設けられ、かつフィルタ１０の振動を抑える振動制御部材であって、フィルタ１０の略中央部１０ａに突起部が当接し、フィルタ１０を押圧する。１５はフロントケース２とリアケース３とを組み付けるためのビスである。ところで、スピーカ８ａは、リアケース３に実装されており、主に着信音を再生することを目的とする。一方、スピーカ８ｂは、フロントケース２に実装されており、主に受話音を再生することを目的とする。しかし、スピーカ８ａ及び８ｂは共に同一の保護構造（位置決め部３ｂ、クッション９、フィルタ１０、粘着テープ１１、振動制御部材１４ａ）を有するスピーカ装置を構成するものなので、特に必要な場合を除き、以下の説明ではリアケース３に実装されたスピーカ８ａに着目して図４を中心として説明する。
【００１９】
まず、初めに、携帯電話機１のスピーカ装置はスピーカ８ａと保護構造（位置決め部３ｂ、クッション９、フィルタ１０、粘着テープ１１、振動制御部材１４ａ）とからなる。
【００２０】
図４に示すように、この実施の形態１では２つのスリット状の放音孔１２がリアケース３に形成されている。また、このリアケース３の裏面３ａにおいて、２つの放音孔１２の中間に先端が丸みを帯びた棒状の振動制御部材１４ａが形成されている。さらに、リアケース３の裏面３ａ側に振動制御部材１４ａを中心にし、かつ放音孔１２を囲むようにして円筒状に突起した位置決め部３ｂが形成されている。
【００２１】
粘着テープ１１は、位置決め部３ｂの内側において２つの放音孔１２の外側を囲むようにして円環状にリアケース３の裏面３ａに設けられており、所定の厚さ及び幅を有する。
【００２２】
フィルタ１０は、ナイロン、ポリエステル等で形成され、かつ円板状に打ち抜かれた目の細かいメッシュシート（メッシュ：２５〜４０μｍ程度）から構成されていて、防塵機能や防水機能等を有する。そして、このフィルタ１０は、粘着テープ１１を介してリアケース３の裏面３ａに張り付けられている。ここで、振動制御部材１４ａの高さは、粘着テープ１１の厚さよりも大きいので、振動制御部材１４ａによってフィルタ１０の中央部１０ａ近傍が押圧されているので、フィルタ１０はスピーカ８ａ側にゆるやかに湾曲した形状となっている。なお、図ではフィルタ１０の外周部１０ｂが粘着テープ１１によって固定されているが、円環状のクッション９とリアケース３の裏面３ａとの間に挟み込むようにして固定してもよい。
【００２３】
クッション９は円環状の弾性部材で、ウレタンフォーム等からなる。クッション９の外周面９ａは、円筒状の位置決め部３ｂの内周面３ｃに接するようにしてリアケース３の裏面３ａに置かれている。またクッション９は、スピーカ８ａと放音孔１２との間に形成される気密性の高い前気室１３の確保、及び筐体内部への音漏れ防止のために用いられている。特に、前気室１３は、一定空間の確保と一定の気密性を確保することが不可欠条件であるが、圧縮介在配置されたクッション９によりこの条件は、確実に確保される。
【００２４】
スピーカ８ａは、所謂導電型構造を有するもので、図５に示すように前面が放音孔１２に対向するようにしてクッション９上に設けられており、一方背面は基板５との導通をとるためのＦＰＣ７を介してシールドケース６上に成形された爪に嵌合される。このシールドケース６とリアケース３とによって形成される空間にスピーカ８ａが閉ざされた状態となる。
【００２５】
基板５は、図５に示すように、スピーカ８ａの駆動を制御するための制御部として機能する電子部品等を実装するもので、シールドケース６とＬＣＤホルダ４との間に配置される。したがって、フロントケース２とリアケース３とをビス１５で固定すると、基板５によってシールドケース６が押圧されるとともにスピーカ８ａの外周部が円環状のクッション９を圧縮する。その結果、スピーカ８ａは、前気室１３を確保しながらシールドケース６とリアケース３との間に固定される。
【００２６】
図６は、フィルタ１０の振動を説明するためのもので、フィルタ１０の振幅と周波数との関係を表すグラフ図である。この図では、従来のスピーカを用いた場合のフィルタの振幅の変化を表す曲線（従来例）と、実施の形態１のスピーカ装置を用いた場合のフィルタの振幅の変化を表す曲線（実施の形態１）とが図示されている。上記のように構成されたスピーカ装置では、スピーカ８ａが駆動された場合、スピーカ８ａから発生する音によってフィルタ１０とスピーカ８ａとの間に形成される空間からなる前気室１３内の空気が振動し、フィルタ１０に対してその振動が伝わる。しかし、フィルタ１０の振動振幅が最も大きくなるフィルタ１０の中央部１０ａ近傍が振動制御部材１４ａによって押圧されて一定の方向にテンションがかかった状態にある。その結果、図６に示すように、従来のスピーカと比較して広範囲の周波数帯域でフィルタ１０の振動が５μｍ程度に抑制される。
【００２７】
以上のように、この実施の形態１によれば、スピーカ８ａから出力される音圧で生じるフィルタ１０の振動を抑制でき、その結果、異音の発生を防止する効果が得られる。なお、振動制御部材１４ａをリアケース３と別体として成形してリアケース３の裏面３ａに貼りつける構成でも同様の効果が得られる。
【００２８】
実施の形態２．
図７は、この実施の形態２にもとづく携帯電話機に適用されるスピーカ装置の構成を示す模式的断面図である。図中、１４ｂはリアケース３の裏面３ａに形成され、かつフィルタ１０を押圧する振動制御部材である。その他の構成については、実施の形態１と同一の符号を付して重複する説明を省略する。
【００２９】
この実施の形態２の携帯電話機は、実施の形態１と以下の点を除いて実質的に同一の構造からなる。すなわち、実施の形態１では、図１に示すように、振動制御部材１４ａの形状を先端が丸みを帯びた棒状のものとしたが、この実施の形態２では図７に示すように振動制御部材１４ｂの形状を円錐形とした。もちろん、振動制御部材１４ｂの形状は、実施の形態１の棒状のものやこの実施の形態２の円錐形のものに限定されることなく、四角錐、切頭円錐形、円柱形、立方形等であってもよい。
【００３０】
上記のように構成されたスピーカ装置では、振動制御部材１４ｂは実施の形態１の振動制御部材１４ａと同様に作用する。すなわち、スピーカ８ａが駆動された場合、スピーカ８ａから発生する音によってフィルタ１０とスピーカ８ａとの間に形成される空間からなる前気室１３内の空気が振動し、フィルタ１０に対してその振動が伝わる。しかし、フィルタ１０の振動振幅が最も大きくなるフィルタ１０の略中央部１０ａが粘着テープ１１より高い振動制御部材１４ｂによって安定して押さえ付けられているので、フィルタ１０の振動が抑制される。
【００３１】
以上のように、この実施の形態３によればフィルタ１０の振動による異音の発生を防止する効果が得られる。なお、振動制御部材１４ｂをリアケース３と別体として成形してリアケース３の裏面３ａに貼りつける構成でも同様の効果が得られる。
【００３２】
実施の形態３．
図８は、この実施の形態３の携帯電話機に適用されるスピーカ装置の構成を示す模式的断面図である。また、図９は図８に示すスピーカ装置が駆動された場合のフィルタの動きを説明するための模式的断面図である。図中、１７は粘着テープ（振動抑制部材、接着部）である。その他の構成については、実施の形態１と同一の符号を付して重複する説明を省略する。
【００３３】
この実施の形態３は、上記実施の形態１に適用されたリアケース３の振動制御部材１４ａによってフィルタ１０を押さえる代わりに、フィルタ１０の略中央部１０ａとリアケース３の裏面３ａとを粘着テープ１７で貼りつけた構成を有する。
【００３４】
上記のように構成されたスピーカ装置では、粘着テープ１７は実施の形態１の振動制御部材１４ａと同様に作用する。すなわち、図９に示すように、スピーカ８ａが駆動された場合、スピーカ８ａから発生する音によってフィルタ１０とスピーカ８ａとの間に形成される空間からなる前気室１３内の空気が振動し、フィルタ１０に対してその振動が伝わる。しかし、フィルタ１０の振動振幅が最も大きくなるフィルタ１０の中央部１０ａ近傍が粘着テープ１７によって固定されているので、フィルタ１０の中央部１０ａ近傍の振動が抑制される。その結果、フィルタ１０は、中央部１０ａ近傍と外周部１０ｂとが固定され、その間のみが振動するにすぎず、その振幅１６ｂはフィルタ１０全体が振動した場合の振幅１６ａ（図１４参照）に比べて著しく小さなものとなる。
【００３５】
以上のように、この実施の形態３によればフィルタ１０の振動による異音の発生を防止する効果が得られる。なお、フィルタ１０の中央部１０ａ近傍をリアケース３に固定する方法として、粘着テープ１７の他に接着剤を用いたり、あるいは溶着によって固定してもよい。フィルタ１０の中央部１０ａ近傍に加え、放音孔を塞がない限り、フィルタ１０のより広い部分を固定してもよい。
【００３６】
実施の形態４．
図１０は、この実施の形態４にもとづく携帯電話機に適用されるスピーカ装置の構成を示す模式的断面図である。また、図１１はこの実施の形態４に適用される防振リング１８を示すもので、図１１（ａ）は正面図、図１１（ｂ）は図１１（ａ）に示す防振リング１８の側面図である。１８は防振リング（略円環上の部材）、１８ａは防振リング１８の外枠、１８ｂは防振リング１８の支持部、１９は防振リング１８の中心に設けられた振動制御部材である。
【００３７】
防振リング１８は、円環状をなす外枠１８ａと、防振リング１８の中心を通り、かつ径方向に延びる支持部１８ｂと、外枠１８ａの中心に位置する支持部１８ｂ上に立設された振動制御部材１９とを有する。防振リング１８は、このような形状は、振動制御部材１９を確実に固定すると共に、スピーカ８ａからの音を妨害低下させないように十分な空間部を有する。さらに、防振リング１８の外径はスピーカ８ａの外径に等しく、図１０に示すようにスピーカ８ａとクッション９との間に設けられる。この際、振動制御部材１９はフィルタ１０側に位置するとともに、フィルタ１０の略中央部１０ａを押圧してこの略中央部１０ａをリアケース３の裏面３ａに押し当てる。この実施の形態４に適用される防振リング１８の振動制御部材１９の形状は、実施の形態１の振動制御部材１４ａと同様の棒状のものである。しかし、振動制御部材１９の形状はそれに限定されるものではなく、実施の形態２の振動制御部材１４ｂのような円錐形のものであってもよく、あるいは四角錐、切頭円錐形、円柱形、立方形等であってもよい。
【００３８】
上記のように構成されたスピーカ装置では、フィルタ１０の振動制御部材１９は実施の形態１の振動制御部材１４ａと同様に作用する。すなわち、スピーカ８ａが駆動された場合、スピーカ８ａから発生する音によってフィルタ１０とスピーカ８ａとの間に形成される空間からなる前気室１３内の空気が振動し、フィルタ１０に対してその振動が伝わる。しかし、フィルタ１０の振動振幅が最も大きくなるフィルタ１０の略中央部１０ａが振動制御部材１９によってリアケース３の裏面３ａに押しつけられているので、フィルタ１０の振動が抑制される。
【００３９】
以上のように、この実施の形態４によればフィルタ１０の振動による異音の発生を防止する効果が得られる。なお、防振リング１８はスピーカ８ａと一体化されていてもよい。
【００４０】
実施の形態５．
図１２は、この実施の形態５の携帯電話機に適用されるスピーカ装置の構成を示す模式的断面図である。図中、各構成については実施の形態１，４と同一の符号を付して重複する説明を省略する。
【００４１】
この実施の形態５では、実施の形態４に示す防振リング１８に加え、実施の形態１に示す振動制御部材１４ａを有し、一対の振動制御部材１４ａ，１９はフィルタ１０を狭持する形で対向配置されている。ここでは、振動制御部材１４ａの高さは粘着テープ１１の厚さよりも高く、また振動制御部材１９の高さは防振リング１８とフィルタ１０との距離よりも低い。
【００４２】
上記のように構成されたスピーカ装置では、スピーカ８ａが駆動された場合、スピーカ８ａから発生する音によってフィルタ１０とスピーカ８ａとの間に形成される空間からなる前気室１３内の空気が振動し、フィルタ１０に対してその振動が伝わる。しかし、フィルタ１０の振動振幅が最も大きくなるフィルタ１０の中央部１０ａ近傍が防振リング１８の振動制御部材１９とリアケース３の振動制御部材１４ａとによって両側から挟み込むことによって固定されているので、フィルタ１０の振動が抑制される。
なお、フィルタ１０を狭持する形で対向配置されている一対の振動制御部材１４ａ，１９は、フィルタ１０の中央部１０ａ近傍を押圧当接してもよいし、実施の形態３のように粘着テープ等で接着しても良い。
【００４３】
以上のように、この実施の形態５によればフィルタ１０の振動による異音の発生を防止する効果が得られる。
【００４４】
なお、以上の実施の形態１乃至実施の形態５はリアケース３側に実装されるスピーカ８ａについてのみ説明したが、図３に示したフロントケース２側に実装されるスピーカ８ｂについても適用でき同様な効果が得られる。また、上記のスピーカ装置は、携帯電話機のみならず様々な携帯機器（ＰＨＳ、ＰＤＡ等）に利用可能であることは言うまでもない。
【００４５】
【発明の効果】
以上のように、この発明によれば、フィルタに当接する振動抑制部材を設けた構成としたので、スピーカから生じる音圧によるフィルタの振動を抑制でき、異音の発生を防止できるという効果が得られる。
【００４６】
この発明によれば、スピーカ装置は、スピーカとフィルタとを非接触状態に維持する弾性部材を圧縮介在させた構成としたので、前気室は一定の空間および気密性が確実に確保されるという効果が得られる。
【００４７】
この発明によれば、スピーカ装置は、振動抑制部材をスピーカとフィルタとの間に位置するように構成したので、フィルタ自体の振動による異音の発生が抑制されるという効果が得られる。
【００４８】
この発明によれば、スピーカ装置は、振動抑制部材をスピーカと筐体との間に位置するように構成したので、フィルタ自体の振動による異音の発生が抑制されるという効果が得られる。
【００４９】
この発明によれば、スピーカ装置は、振動抑制部材がフィルタの一面の中央部近傍を押圧する構成としたので、フィルタ自体の振動による異音の発生が抑制されるという効果が得られる。
【００５０】
この発明によれば、スピーカ装置は、振動抑制部材を突起部を有する略円環状の部材から構成したので、フィルタ自体の振動による異音の発生が抑制されるという効果が得られる。
【００５１】
この発明によれば、スピーカ装置は、振動抑制部材がフィルタの一面の中央部近傍と接触する接着部を有するように構成したので、フィルタ自体の振動による異音の発生が抑制されるという効果が得られる。
【００５２】
この発明によれば、スピーカ装置は、フィルタに当接する一対の振動抑制部材がフィルタを狭持する形で対向配置された構成としたので、フィルタ自体の振動による異音の発生が抑制されるという効果が得られる。
【００５３】
この発明によれば、スピーカ装置は、フィルタの中央部近傍を押圧または接着する一対の振動抑制部材を設けた構成としたので、フィルタ自体の振動による異音の発生が抑制されるという効果が得られる。
【００５４】
この発明によれば、携帯機器は、スピーカ装置と、該スピーカ装置の駆動を制御する制御部とを備えるように構成したので、フィルタ自体の振動による異音の発生が抑制されるという効果が得られる。
【図面の簡単な説明】
【図１】  この発明の実施の形態１による携帯機器の一例である携帯電話機の正面図である。
【図２】  図１に示す携帯電話機の背面図である。
【図３】  図１及び図２のＡ−Ａ’線に沿う断面図である。
【図４】  この発明の実施の形態１による携帯電話機に適用されるスピーカ装置の断面図である。
【図５】  図１に示す携帯電話機の分解斜視図である。
【図６】  振幅と周波数との関係を示すグラフ図である。
【図７】  この発明の実施の形態２による携帯電話機に適用されるスピーカの断面図である。
【図８】  この発明の実施の形態３による携帯電話機に適用されるスピーカ装置の断面図である。
【図９】  この発明の実施の形態３による携帯電話機に適用されるスピーカ装置の断面図である。
【図１０】  この発明の実施の形態４による携帯電話機に適用されるスピーカ装置の断面図である。
【図１１】  この発明の実施の形態４による携帯電話機に適用されるスピーカ装置に含まれる防振リングを示すもので、（ａ）は平面図、（ｂ）は側面図である。
【図１２】  この発明の実施の形態５による携帯電話機に適用されるスピーカ装置の断面図である。
【図１３】  従来のスピーカ装置の概略的構成を示す断面図である。
【図１４】  従来のスピーカ装置の概略的構成を示す断面図である。
【符号の説明】
１  携帯電話機（携帯機器）、２  フロントケース、３  リアケース、３ａ  裏面、３ｂ  位置決め部、３ｃ  内周面、４  液晶ディスプレイ（ＬＣＤ）ホルダ、５  基板（制御部）、６  シールドケース、７  フレキシブルプリント回路（ＦＰＣ）、８ａ，８ｂ  スピーカ、９  クッション（弾性部材）、９ａ  外周面、１０  フィルタ、１０ａ  中央部、１０ｂ  外周部、１１  粘着テープ、１２  放音孔、１３  前気室、１４ａ，１４ｂ  振動制御部材、１５  ビス、１６ｂ  振幅、１７  粘着テープ、１８  防振リング、１８ａ  外枠、１８ｂ  支持部、１９  振動制御部材。
【図１】
0003773760.tif 000002
【図２】
0003773760.tif 000003
【図３】
0003773760.tif 000004
【図４】
0003773760.tif 000005
【図５】
0003773760.tif 000006
【図６】
0003773760.tif 000007
【図７】
0003773760.tif 000008
【図８】
0003773760.tif 000009
【図９】
0003773760.tif 000010
【図１０】
0003773760.tif 000011
【図１１】
0003773760.tif 000012
【図１２】
0003773760.tif 000013
【図１３】
0003773760.tif 000014
【図１４】
0003773760.tif 000015